(57)【特許請求の範囲】
【請求項１】
前面上部側には下端面に給湯口を備えると共に上面壁に沿って操作表示部が形成される嘴状の注湯部を設け、内部には外筒との間で真空断熱空間を形成する内筒とこの内筒を外側から囲う外筒とを設けて形成された内容器を内部に有し、外筒の外側に外筒を覆う外ケースとを有する本体と、前記内容器の上端開口を塞ぐ蓋体とを備え、前記内容器の上端側内周に径方向内方に突出する絞り部を設け、更に本体の前面側、外ケースと内容器との間を上方に延びる配管と、その上部に在り注湯部に連なる止水弁を有する電気ポットであって、
前記内筒の上端部に径方向内方に屈曲し、更に内周側が上方へ折り曲げられて円筒を形成する絞り面を形成する一方、前記外筒の上端側に、円筒状の胴部の上端から径方向内方に屈曲し、更に内方には内向き連結部を設け、更にまたこの内向き連結部の内周端側を上方へ折り曲げて円筒を形成し、この内向き連結部の円筒部に、内筒における上記絞り面内周側の上方へ折り曲げられて形成された円筒を両方の上端が一致するようはめ込んで相互に接合し、上記内向き連結部の前面側には止水弁が設けられ、
更に、上記注湯部の上壁面の後端縁の一部が、前記内筒の円筒状の胴部内面よりも内側に入り込んだ形状に形成されており、前記操作表示部に、大きな表示パネル及び操作キーが配置可能となり、
上記外筒の径方向内方に屈曲した部分の水平面には、肩ケースを固定金具及びフランジ板により、内筒と共に内容器を構成する外筒に対して固定する固定部が形成され、上記水平面の上記固定部より径方向外方、かつ上記外筒の径方向に屈曲した部分の上方に、ヒンジロック機構が取り付けられてなることを特徴とする電気ポット。
【発明の詳細な説明】
【０００１】
【発明の属する技術分野】
本発明は、真空二重構造の内容器を備える電気ポットに関するものである。
【０００２】
【従来の技術】
上記のような電気ポットは、例えば図１３（ｂ）に示すように、湯水が内部に貯留される内容器７１を外ケース７２内に設けて本体７３が構成され、内容器７１が、例えばステンレス鋼板を用いて各々作製された内筒７４と外筒７５との二重容器構造で形成されている。これら内筒７４と外筒７５との間を真空排気する組立が行われている。このような真空二重構造で形成された内容器７１によって、この内容器７１内に貯留される湯に対し、優れた保温性を得ることができる。
【０００３】
さらに近年の電気ポットにおいては、内筒７４の上端側に、同図（ｃ）に拡大して示すように、径方向内方に突出する絞り部７７を設けて内容器７１が形成されている。このような絞り部７７を設けることによって内容器７１の上端開口径がより小さくなり、これにより、内容器７１内に貯留された湯からの上方への放熱が抑えられて、さらに保温性が向上したものになっている。
【０００４】
上記のような絞り部７７は、内筒７４に対して径方向内方への絞り加工を行うことによって形成されている。このような絞り加工は、亀裂やしわが発生しない範囲で極力絞り量が大きくなるように断面形状が定められ、従来は、絞り部７７よりも下側の内筒胴部７８の上端に、上方に向かって径方向内方に傾斜する絞り傾斜面７９と、この絞り傾斜面７９の内方端から上方に向かう短寸の円筒面８０と、この円筒面８０の上端から径方向外方にテーパー状に拡がる拡径傾斜面８１とが順次連なる断面形状で、上記絞り部７７が内筒７４の上端側に形成されている。そして、拡径傾斜面８１の上端縁に、上記内筒胴部７８よりもやや径大な円筒状の外筒７５の上端縁が接合されて、内容器７１が構成されている。
【０００５】
一方、本体７３には、同図（ａ）（ｂ）に示すように、内容器７１の上端開口を塞ぐ蓋体８２が取付けられる。この蓋体８２には、その後端側（図において右端側）に、同図（ｃ）に示すヒンジピン８３が設けられている。このヒンジピン８３を、本体７３に設けられているヒンジ受け８４に嵌入させた状態に組付けられ、これにより、蓋体８２を上記ヒンジピン８３回りに回動させることで、内容器７１の上端開口が開閉される。
【０００６】
なお、上記ヒンジ受け８４は、外ケース７２の上端に組付けられて本体７３における上部側の外装体を構成する肩ケース８５に設けられている。そして、ヒンジ受け８４の下側には、肩ケース８５の外周壁８６と内周壁８７との間に、ヒンジロック機構８８がさらに設けられている。
【０００７】
このヒンジロック機構８８は、上記した外周壁８６および内周壁８７間に下側から嵌着して固定されたバネ受け８９と、このバネ受け８９上に縮装された圧縮コイルバネ９０と、このバネ９０によって上方に向けて付勢されたヒンジロック体９１とを設けて構成されている。
【０００８】
通常は、このヒンジロック体９１の上端側がヒンジ受け８４の前方に位置し、これによって、ヒンジ受け８４内からのヒンジピン８３の前方への抜脱が阻止された状態で保持されている。したがって、前記蓋体８２は、これをヒンジピン８３回りに回動させる操作のみが可能となっている。
【０００９】
一方、ヒンジロック体９１を後方から指先で下側に押して下降させると、ヒンジロック体９１の上端側がヒンジ受け８４の前方位置から下側に没入する。この状態で、蓋体８２を前方に引くことで、ヒンジピン８３がヒンジ受け８４から外れ、これによって、本体７３から蓋体８２を外すことが可能となる。
【００１０】
このように蓋体８２は、本体７３からの取り外し可能になっている。但し、蓋体８２の開閉操作時に、ユーザーの意図に反して蓋体８２が外れるようなことがあると安全性が損なわれることから、上記のようなヒンジロック機構８８が、本体７３の後面に設けられている。
【００１１】
なお、前記肩ケース８５の内周壁８７には、その内周面に段部９２が設けられ、内容器７１は、内筒７４と外筒７５との各上端縁の接合領域である鍔状部９３を、パッキン９４を介してこの段部９２上に載せた状態として、この内容器７１の上端側が本体７３内に支持されている。
【００１２】
【発明が解決しようとする課題】
ところで、内容器７１の上端側に、前記した形状の絞り部７７を設けた従来の電気ポットでは、例えばヒンジロック機構８８の収納部分が外ケース７２よりも後方に出っ張る形状となり、このために前後方向の全体的な寸法が大きくなって、コンパクト化を充分には図れないという問題を有している。
【００１３】
つまり、ヒンジ受け８４の下側に設けられるヒンジロック機構８８は、その下端側が内容器７１の絞り部７７に重なる高さ位置にあり、したがって、このヒンジロック機構８８の配設空間を、内容器７１の外筒７５よりも外側に設けることが必要となっている。これに対し、その下側の外ケース７２の後面側は、外筒７５との間に所望の断熱空気層を確保した状態で、この外筒７５に極力近づけた形状に形成されている。この結果、肩ケース８５における後面側に、外ケース７２よりも後方に出っ張る形状でヒンジロック機構８８の収納部を設けることが必要となっている。
【００１４】
なお、このような後方への出っ張り形状を生じさせないためには、ヒンジロック機構８８の下端側が内容器７１よりも上方に位置し、このヒンジロック機構８８の配設空間が内容器７１の絞り部７７に対して上下に重なる構成とすることが考えられる。しかしながら、このような構成では、ヒンジ受け８４をヒンジロック機構８８に必要な上下方向の高さ寸法よりも高い位置に設けることが必要となり、したがってこの場合には、蓋体８２の厚さを含む上下方向の寸法が大きくなる。
【００１５】
本発明は上記した問題点に鑑みなされたもので、その目的は、よりコンパクト化を図り得る電気ポットを提供することにある。
【００１６】
【課題を解決するための手段】
上記目的を達成するため、１の態様においては、真空断熱空間を間に形成する内筒とこの内筒を外側から囲う外筒とを設けて形成された内容器を内部に有する本体と、内容器の上端開口を塞ぐ蓋体とを備え、内容器の上端側内周に径方向内方に突出する絞り部を設けた電気ポットにおいて、
内筒の上端側に径方向内方に屈曲する絞り面を形成する一方、外筒の上端側に、円筒状の胴部の上端から径方向内方に屈曲する形状の内向き連結部を設け、この内向き連結部の上端縁と、内筒における上記絞り面上方の上端縁とを相互に接合した形状に形成してあることを特徴とする。
【００１７】
上記構成によれば、内容器における上端側の形状によって、外筒の内側領域にヒンジロック機構といった機構類の配置スペースを確保することが可能になる。即ち、内容器の内筒の上端側は従来とほぼ同様に径方向内方に向かって斜め上向きに傾斜する絞り部が設けられているものの、その絞り部の内方端が内容器の最上位の位置となるように、外筒は、絞り部の内方端よりも上方には越えない形状に形成することができるからである。つまり、外筒の内側領域にヒンジロック機構等の機構類を入り込ませて配置できて、その横側方への突出量を減らすことができ、給湯機能に支障を来たすことなく電気ポットとしてのコンパクト化が図れるようになった。
【００１８】
また別の態様においては、内筒の上記絞り面における内方端の位置に、内筒と外筒との各上端縁の接合部を設けていることを特徴とする。
【００１９】
上記構成によれば、最小径部において内外筒どうしの接合ができる等、接合部が従来よりも小径側に位置するので、大径側への曲げ加工が不要になり、内容器の最小径部の寸法を、より小型化することが可能になるとともに、請求項１の構成による前記効果を奏することができた。
【００２０】
また別の態様においては、外筒の上記内向き連結部における径方向内方側を、肩ケースの内方端側に固定していることを特徴とする。
【００２１】
上記構成によれば、外筒の内向き連結部における径方向内方側を肩ケースの内側に配置することができるので、これら両者の重複が解消されて空間の有効利用が図れるので、必要な機能を備えながらよりコンパクト化することが可能になるとともに、先の態様による前記効果を奏することができる。例えば、ヒンジ受けを外ケースの上方延長線上に設けても、その下側にヒンジロック機構の配設空間を充分に確保することができる。
【００２２】
また別の態様においては、上記内向き連結部には、本体への固定領域よりも外側に、下方に凹入してその下側の円筒状胴部に連なる窪み部を設けていることを特徴とする。
【００２３】
上記構成によれば、ヒンジロック機構等の機構類や構造物を、窪み部に入り込ませて配置することが可能になり、空間の有効利用が促進できる点からより一層のコンパクト化が図れる利点がある。例えば、窪み部と外ケースとの間も利用してヒンジロック機構が配置されていれば、ヒンジロック機構におけるヒンジロック体の形状やその上下方向ストローク、また、圧縮コイルバネのバネ長等を従来とほぼ同様としたままで、このヒンジロック機構を外ケースよりも内側に沿わせて設けることが可能となる。
【００２４】
その結果、先の態様による前記効果を奏するとともに、前後方向の全体的な寸法が小さくなってよりコンパクトになり、又、後面側に外ケースよりも後方へ大きく出っ張るものがないことから、外観がすっきりしてデザイン性も向上するようになった。
【００２５】
また別の態様においては、蓋体の後部側に設けられたヒンジピンが嵌入するヒンジ受けを本体の後面側上部に設けると共に、このヒンジ受けからのヒンジピンの抜脱を阻止する状態と許容する状態との切換操作が行われるヒンジロック機構を、外筒における内向き連結部の上方で、かつ、円筒状胴部の外周面を上方へ延長した面よりも内側に入り込む位置に配設して、このヒンジロック機構を後方から覆う本体の外周壁がその下側の外周壁とほぼ面一状になるように形成していることを特徴とする。
【００２６】
上記構成によれば、ヒンジロック機構を、内容器における上端側の形状工夫によって生じた外筒の内側領域に入れ込み配置することができ、それによってヒンジロック機構を後方から覆う外周壁が突出せず、その下側の外周壁とほぼ面一状にできるようになる。つまり、上述の各態様によるいずれかの前記効果を奏するとともに、ヒンジロック機構の後方突出が解消され、空間を有効利用して前後方向のコンパクト化が図れるとともに、外観も向上する電気ポットを提供することができた。
【００２７】
また別の態様においては、本体の前面上部側に、下端面に給湯口を備えると共に上面壁に沿って操作表示部が形成される嘴状の注湯部を設け、本体における内周壁の前面側を、その上端縁が上記注湯部の上壁面の後端縁に連なる形状に形成すると共に、この上壁面の後端縁が、前記外筒の筒状胴部の外周面を上方に延長した面よりも後方に入り込んだ形状に形成していることを特徴とする。
【００２８】
上記構成によれば、先の幾つかの態様によるいずれかの前記効果を奏するとともに、嘴状の注湯部における操作表示部を、内容器における上端側の形状工夫によって生じた外筒の内側領域に入れ込み配置することができ、操作表示部を無理なく大型化して見易くすることや、注湯部の前方突出量を少なくしてコンパクト化が図れる利点を得ることができた。
【００２９】
【発明の実施の形態】
次に、本発明の一実施形態について図面を参照しつつ詳細に説明する。図２に本実施形態に係る電気ポットを示している。この電気ポットは、同図（ｂ）に示すように、内部に上方から凹入する貯湯空間１ａを有する本体１と、貯湯空間１ａの上方を覆う蓋体２とを備えている。
【００３０】
本体１は、外装体としての筒状の外ケース３と、この外ケース３の内側に装着されて上記貯湯空間１ａを囲う内容器４と、外ケース３の上方に取付けられた肩ケース（蓋体の外周側を下側から覆う本体の内周壁）５とを設けて構成されている。肩ケース５は、外ケース３の上端に全周にわたって一体的に連なる外周壁５ａを備え、この外周壁５ａによって、本体１における上部側外装体が形成されている。なお、本体１における上部前面側の肩ケース５における外周壁５ａと外ケース３とは、嘴状に前方（同図において左方）に膨出する形状に形成されている（以下、この部位を注湯部１ｂという）。この注湯部１ｂにおける下部前端側に、後述する給湯口管１０ｃが取付けられている。
【００３１】
上記肩ケース５は、注湯部１ｂよりも後方に蓋体２が上方から嵌入する略円形の開口を有する形状に形成され、この開口の周縁から、径方向内側へと略斜めに垂下して蓋体２の外周を囲う内周壁５ｂが一体形成されている。この内周壁５ｂの下端部に内容器４の上端が固定されて、この内容器４が外ケース３内に装着されている。この内周壁５ｂにおける前面側は、蓋体２の前面側全体を囲うように上方に延設されて、注湯部１ｂを上方から囲う外周壁５ｂの後端に連なる形状となっている。なお、上記内容器４の形状およびその固定構造については、後で詳しく説明する。
【００３２】
内容器４の下面中央部に、サーミスタ等からなる底センサ（温度センサ）６が下側から当接するように配置されている。この底センサ６によって、内容器４内の貯湯空間１ａに貯留されている湯水の温度が検出される。
【００３３】
さらに、この底センサ６を囲うドーナツ形状の電気ヒータ（加熱手段）７が、内容器４の下面に下側から密着するように取付けられている。この電気ヒータ７は、抵抗加熱式のヒータ線を雲母板（マイカ板）に挟んだ構造のマイカヒータを設けて構成され、このマイカヒータを、例えばアルミニウムメッキ鋼板等の金属板で上下から挟み込んだ形状に形成されている。なお、上記マイカヒータは、三枚のマイカ板を積層した構造になっており、これらマイカ板間に、沸騰用ヒータと保温用ヒータとの２系統のヒータ回路が設けられている。
【００３４】
上記形状の電気ヒータ７の下側には、この電気ヒータ７を下側から覆う遮熱板８が取付けられている。そして、この遮熱板８の下側に電動ポンプ９が取付けられている。この電動ポンプ９には、その吸引口９ａに、電気ヒータ７と遮熱板８との各前面側の切欠を貫通して内容器４の下面から垂下する取水管１０ａが接続されている。そして、電動ポンプ９の吐出口９ｂに、図示してはいないが、外ケース３と内容器４との間を上方に延びる給湯立て配管１０ｂ（同図（ａ）参照）が接続されている。さらに、この給湯立て配管１０ｂの上端に、後述するバルブユニット５６を介して、前記した給湯口管１０ｃが接続されて、貯湯用空間１ａの底部から給湯口管１０ｃに至る給湯経路が形成されている。なお、上記した給湯立て配管１０ｂは透明ガラス管から成り、その外周面に水位目盛りが印刷されて液量表示管として形成されている。外ケース３は、水位目盛りに沿う一部領域が透明に形成されて、上記水位目盛りを前方から視認し得るようになっている。
【００３５】
内容器４は、図３（ｃ）に示すように、それぞれステンレス鋼板等から成る金属製の内筒１１と外筒１２とを設け、これら内筒１１と外筒１２との間を真空断熱空間とした組立てが行われている。内筒１１は、円筒状の胴部１１ａと底板部１１ｂとを有する有底筒状に形成され、これら１１ａ・１１ｂに囲われる空間が前記した貯湯空間１ａとなっている。さらに、この貯湯空間１ａからの上方への放熱を抑えて保温性を向上するために、この内筒１１の上端側に、胴部１１ａの上端縁から円錐状に径方向内方へと屈曲させた絞り部１１ｃを設けて、この部位での開口面積をその下側の貯湯空間１ａより小さくした形状に作製されている。そして上記絞り部１１ｃの内方端に、上方へと延びる短寸円筒形状の接合部１１ｄが連設され、この接合部１１ｄに、後述するように、外筒１２の上端が溶接等によって気密に接合されている。
【００３６】
なお、内筒１１の底板部１１ｂは、その中央側が上方へ段差状に凹入するように形成されている。その中央凹部１１ｅ下面に、前記した底センサ９が下側から当接するように配置される。また、この中央凹部１１ｅの外側の中間凹部１１ｆの領域に、前記した電気ヒータ７が下側から密着させて取付けられる。さらにこの中間凹部１１ｆよりも前面側に、前記した電動ポンプ９の吸引口９ａが接続される取水管１０ａの上端が、この底板部１１ｂを貫通させて接合されている。
【００３７】
一方、外筒１２は、本実施形態においては外筒胴部材１３と外筒上部材１４との二部材を設けて形成されている。外筒胴部材１３は、内筒１１の胴部１１ａを外側から囲う円筒状の胴部１３ａと、内筒１１の底板部１１ｂよりも下側の位置で、胴部１３ａの下端から径方向内方に折曲された折曲部１３ｂとを有する形状に形成されている。この折曲部１３ｂの内端は、内筒１１の底板部６の外周側に下側から当接するように上方へ折曲され、その上端１３ｃが、内筒１１の底板部１１ｂに溶接等によって気密に接合されている。
【００３８】
外筒上部材１４は、外筒胴部材１３における胴部１３ａの上端縁と、その内側における内筒１１の前記接合部１１ｄとの間を上方から塞ぐべく、略径方向に拡がる形状に形成されている。さらに詳細には、その内方端に、上記接合部１１ｄに外側から重ねて溶接される円筒状の接合部１４ａが設けられ、この接合部１４ａの下端から径方向外方に略水平に拡がる平面部１４ｂと、この平面部１４ｂの外周縁から断面略Ｌ字状に屈曲されて径方向外方に拡がる窪み部１４ｃとを有する形状に形成され、この窪み部１４ｃの外方端が、外筒胴部材１３における胴部１３ａの上端縁に溶接されている。なお以下では、内筒１１上端側の接合部１１ｄと、これに接合される外筒上部材１４の接合部１４ａとの両者を併せて、上端接合部４ａと称して説明する。
【００３９】
このように、本実施形態における内容器４は、外筒胴部材１３と外筒上部材１４とから成る外筒１２を内筒１１に外側から接合し、これによって、内筒１１の絞り部１１ｃや胴部１１ａ、また底板部１１ｂの外周側にかけて、外筒１２との間に密閉空間１５が形成されている。そして、外筒上部材１４における平面部１４ｂに、同図（ｃ）において左側の断面形状に示されているように、断面円弧状に下方に凹入する凹部１４ｄが設けられており、この凹部１４ｄの底部に、上記密閉空間１５に連通する排気穴が穿設されている。この排気穴を通して、上記空間１５を真空断熱空間とする組立てが行われる。
【００４０】
これは、上記凹部１４ｄ上に例えば低融点ガラス等から成る封口材を載せ、この状態で、図示しない真空室にこの内容器４を送り込むことによって行われる。これにより、上記排気穴を通して空間１５内の空気が吸い出され、そして、この状態で全体を加熱して封口材を溶融させることにより排気穴が封止されて、上記空間１５が真空断熱空間として形成される。
【００４１】
なお、同図（ａ）に示すように、上記外筒上部材１４の平面部１４ｂには、その下面に、真空排気して封止した後に上記密閉空間１５を囲う壁面から発生するアウトガスを吸着して所望の真空度を保持するためのゲッター部材１６が取り付けられている。さらに、上記平面部１４ｂの上面に、この内容器４を前記肩ケース５に固定するための固定金具１７…が、周方向に沿う複数箇所、図の場合には４箇所にスポット溶接にて接合されている。これら固定金具１７は、同図（ｂ）に示すように、断面略逆Ｕ字状に形成され、その中心箇所に、固定用雌ねじ１７ａが穿設されている。一方、同図（ｄ）に示すように、内容器４の下端面、すなわち、外筒胴部材１３における折曲部１３ｂの下面にも、上記同様に形成された固定金具１８…が接合されている。
【００４２】
次に、上記構造の内容器４の固定構造について説明する。まず、この内容器４の底部側は、前記図２（ｂ）に示されているように、前記遮熱板８の外周側を通して締結ネジ１９を上記固定金具１８に螺着させることによって、この遮熱板８に固定されている。なお、外ケース３の下端開口部にはこれを覆う底蓋２０が設けられている。この底蓋２０は、その周縁を囲う回転座２１上に回転自在に組付けられている。この底蓋２０上に外ケース３における底部内方端側が載置された組立状態になっている。そして、この外ケース３の内方端領域に、上方に突出する取付ボス部３ａ…が周方向に沿って複数設けられており、これら取付ボス部３ａ上に、上記遮熱板８が図示しない取付ネジによって固定されている。
【００４３】
一方、内容器４の上部側の固定構造を図１（ｂ）に示している。すなわち、内容器４の下端側を前記のように外ケース３に固定した後の組立過程で、内容器４の前記平面部１４ｂ上に、この平面部１４ｂを挟んで内側と外側とにそれぞれリング状の内側パッキン２２・外側パッキン２３が載せられ、次いで、肩ケース５が外ケース３に上方から組付けられる。この肩ケース５における前記内周壁５ｂの下端側内方端には、略水平な平坦取付部５ｃが設けられており、この平坦取付部５ｃの下面が上記各パッキン２２・２３に上方から当接すると共に、平面部１４ｂ上に接合されている固定金具１７が、上記平坦取付部５ｃに形成されている貫通穴５ｄに下側から挿通した状態となる。この状態で、平坦取付部５ｃ上に例えばステンレス鋼板より成るフランジ板２４を載せ、このフランジ板２４を通して締結ネジ２５を固定金具１７の前記固定用雌ねじ１７ａに螺着させ締め付けることで、内容器４の上部側が各パッキン２２・２３を介して肩ケース５の平坦取付部５ｃに固定されている。
【００４４】
なお上記のような組立過程において、フランジ板２４を平坦取付部５ｃ上に載せる前に、平坦取付部５ｃの内側に環状のカバーリング２６がさらに装着される。このカバーリング２６は、その上端が、内容器４の前記した上端接合部４ａを上方から囲う断面逆Ｕ字状に形成されている。このカバーリング２６を、平坦取付部５ｃの内側に装着した後にフランジ板２４を載せて前記したネジ締めを行うことにより、このカバーリング２６もフランジ板２４の内方端側で押え付けられて固定される。これにより、上端接合部４ａが隠れて上方から見えなくなり、見栄えが向上する。
【００４５】
また上記では、肩ケース５の平坦取付部５ｃ上に金属板より成るフランジ板２４を載せ、このフランジ板２４を介してネジ締めを行うようになっているので、樹脂製の肩ケース５には各締め付け箇所での締付け力が分散して作用し、これによって、肩ケース５に亀裂等の損傷を発生させることなく、内容器４の安定した固定状態を得ることができる。
【００４６】
なお同図（ａ）には、前記蓋体２を外した状態を示している。同図において、内筒１１の絞り部１１ｃよりもやや下側の高さ位置に記している破線Ｈは「満水位」を示している。このような満水位の表示は、従来の電気ポットでは、内筒の内面にエンボス加工等による目盛り形成にて行われ、これが、内容器の上端開口を通して視認されるように形成されている。しかしながら、本実施形態の電気ポットにおいては、絞り部１１ｃの傾斜角が大きく、かつ、内容器４の上端開口径が小さいことから、仮に、従来同様に内筒１１の内面に上記のような満水位目盛りを設けた構成としたのでは、この目盛りを内容器４の上端開口を通して視認することは困難なものとなる。
【００４７】
そこで本実施形態では、上記したカバーリング２６の後端側一部領域から下方に垂下する満水位表示部２６ａを設け、その下端部の位置が満水位Ｈの高さ位置であることを示す構成になっている。これにより、ユーザーは蓋体２を外して内容器４内に注水するときに、この内容器４の上端開口を通して水位の上昇を見ながら、その水位が満水位表示部２６ａの下端に一致したときに注水を停止することで、満水位までの注水操作を容易に行うことが可能になっている。なお、上記のような満水位表示部２６ａを有するカバーリング２６は、内容器４内で沸騰した湯や蒸気が直接触れることから、例えばＰＰＳ（ポリフェニレンスルフィド）やＰＳＵ（ポリサルフォン）等の耐熱性を有するエンジニアリングプラスチックにて作製されている。
【００４８】
次に、内容器４の上端開口を開閉する前記蓋体２の構成について説明する。この蓋体２は、図２（ａ）に示すように、本体１における前記嘴状の注湯部１ｂの後方に、これに連なる略円形状に形成されている。なお、蓋体２の前端、すなわち注湯部１ｂとの区画領域はほぼ直線状に形成されている。この蓋体２には、その上面略中央に、後述する押し板３６が、また、この押し板３６よりも注湯部１ｂ側に蓋開閉レバー４６がそれぞれ取付けられている。さらに押し板３６の側方に手動給湯ロックつまみ４３ａが設けられている。
【００４９】
上記蓋体２は、図４に示すように、上面外装体を形成する上ケース３１と、この上ケース３１の下側を覆うようにこの上ケース３１に固定された下ケース３２と、この下ケース３２の略中央部に下側から取付けられた下部成形体３３と、この下部成形体３３を下側から覆う内蓋３４とを設けて形成されている。上ケース３１および下ケース３２と下部成形体３３とはそれぞれ合成樹脂製であり、内蓋３４は例えばステンレス鋼板などの金属薄板で形成されている。なお、内蓋３４は、パッキン３５が装着された外周縁の部位が下ケース３２の下面に当接するように下部成形体３３に固定されている。蓋体２が閉蓋状態では、上記パッキン３５が、内容器２の上端開口部に固定されている前記カバーリング２６の上端内周縁に圧接して、貯湯空間１ａが密閉状に保持される。
【００５０】
上ケース３１は上方凸状にゆるやかに湾曲した断面形状で形成されている。この上ケース３１のほぼ中央に押し板３６が装着され、この押し板３６の下側に、ベローズ３７ａを設けて形成されたベローズポンプ（エアーポンプ）３７が配置されている。
【００５１】
このベローズポンプ３７が非動作状態（図示の状態）のときには、このベローズポンプ３７の中央下端側に設けられている流路切換弁３７ｂにより、ベローズ３７ａ内がその下側の空間から遮断された状態で保持される。この状態で、貯湯空間１ａは、内蓋３４および下部成形体３３を貫通する器内連通路３８と、下ケース３２および下部成形体３３間に設けられている第１通路３９と、この第１通路３９の下側に形成されている第２通路４０と、下ケース３２および下部成形体３３間における後方側に設けられている蒸気通路４１と、上ケース３１に形成されている蒸気孔３１ａとを順次通して、外部に連通するように構成されている。したがって、このとき貯湯空間１ａ内で発生する蒸気は、この連通経路を通して外部に放出され器内圧の上昇が防止される。なお、上記器内連通路３８内には転倒止水弁４２が装着されている。
【００５２】
一方、この状態から押し板３６を下方に押す操作が行われると、その操作の開始当初に流路切換弁３７ｂも一体的にわずかに下降する。これによって、ベローズ３７ａ内が第１通路３９に連通すると共に、この第１通路３９と第２通路４０との連通が遮断された状態に切換わる。この結果、第１通路３９は外部への連通が遮断され、したがって、以降の押し板３６の下降動作に伴い、ベローズ３７ａ内で圧縮されるエアーが、第１通路３９から器内連通路３８を通して貯湯空間１ａ内に供給される。これによって、本実施形態の電気ポットでは、前記した電動ポンプ９を作動させずとも、押し板３６を押す手動操作で貯湯空間１ａ内の湯の給湯を行い得るようにもなっている。
【００５３】
なお、押し板３６の下端側外周には、この押し板３６の下降を阻止する状態と、許容する状態とを周方向の回転によって切換える押し板ロック用筒体４３が配置されている。この筒体４３における紙面手前側から上方に延びる操作部（図示せず）の上端が、前記図２（ａ）に示した手動給湯ロックつまみ４３ａとして形成されている。
【００５４】
上記蓋体２は、前記肩ケース５の後端上部側に設けられたヒンジ受け５ｅにヒンジピン４４を介して開閉自在かつ着脱自在に支持されている。一方、上ケース３１の前端側には、この蓋体２を閉位置（図示の位置）で本体１にロックするための蓋体ロック機構４５が設けられている。このロック機構４５は、上ケース３１に沿って取付けられた蓋開閉レバー４６と、その下側で前後方向にスライド自在に配置されたロック体４７と、このロック体４７を前方に向けて付勢するバネ４８とを設けて構成されている。
【００５５】
蓋開閉レバー４６は、その前方側を上方から押すことで、上ケース３１へのこの蓋開閉レバー４６の支持点４６ａ回りに図において左回りに回動し、これに伴って後方側が上方に浮き上がる。この状態で、蓋開閉レバー４６の下側に後方から指先を差し込み、この蓋開閉レバー４６をさらに回動させることによってロック状態が解除される。すなわち、このような蓋開閉レバー４６の回動に伴い、この蓋開閉レバー４６の下面から下方に垂下する押動爪４６ｂによってロック体４７が後方にスライドする。これにより、ロック体４７に一体形成されているロック爪４７ａの前端側が、肩ケース５の前記内周壁５ｂに設けられているロック用凹部５ｆから後方に離脱してロック解除状態となる。この状態から、さらに蓋開閉レバー４６を上部後方へと持ち上げることで、蓋体２の全体が後端側のヒンジピン４４回りに回動し、蓋体２が開けられる。
【００５６】
このヒンジロック機構５０は、図５に示すように、肩ケース５における後端側の外周壁５ａと内周壁５ｂとの間で上下自在に配置されたヒンジロック体５１と、その下側に取付けられたバネ受け５２と、これらヒンジロック体５１およびバネ受け５２間に縮装された圧縮コイルバネ５３とを設けて構成されている。バネ受け５２は、肩ケース５の外周壁５ａと内周壁５ｂ間に下側から嵌挿され固定されている。
【００５７】
上記の蓋体２はこれを本体１から外して、例えば内容器４内への注水のために本体１だけを蛇口の下側へと持ち運ぶことが可能となっている。このような蓋体２の取り外しは、この蓋体２を前記のようにヒンジピン４４回りに回動させ、次いで手前に引くことによって行われる。しかしながら、例えば蓋体２を開ける過程で、蓋体２に前方への外力も作用するような取り扱いが行われ、これによってユーザーの意図に反して蓋体２が外れるようなことがあると安全性が損なわれることから、前記ヒンジ受け５ｅの近傍にさらにヒンジロック機構５０が設けられている。
【００５８】
前記ヒンジ受け５ｅには、その前面から後方に横方向に凹入する支持穴５ｇが形成されている。そして、ヒンジロック体５１の上端側に、支持穴５ｇの前方に近接して位置する抜脱阻止部５１ａが設けられている。また、このヒンジロック体５１の下端側には、肩ケース５の外周壁５ａに形成されている開口窓５ｈを通して後方に臨む解除操作部５１ｂが設けられている。
【００５９】
このような構成により、常時は、ヒンジロック体５１の抜脱阻止部５１ａがヒンジ受け５ｅの支持穴５ｇの前方に位置し、これにより、支持穴５ｇに嵌入させたヒンジピン４４の前方への抜脱が阻止されて、蓋体２はヒンジピン４４回りの回動によって開閉させることは可能であるものの、本体１から外れることがない状態で保持されている。
【００６０】
一方、蓋体２を本体１から取り外す場合には、ヒンジロック体５１の解除操作部５１ｂに上部後方から指先を掛け、この解除操作部５１ｂを下げる操作を行う。これに伴い、抜脱阻止部５１ａがヒンジ受け５ｅの支持穴５ｇの前方位置から下方に没入する。この状態を保持して蓋体２をヒンジピン４４回りに回動させ、次いで前方へ引く操作を行うことにより、ヒンジピン４４が支持穴５ｇから抜け出て蓋体２が本体１から取り外される。
【００６１】
このようなロック機構５０を設けるに当たり、本実施形態の電気ポットでは、内容器４における上端側の形状によって、外ケース３の内側領域にこのロック機構５０の配置スペースが確保されている。すなわち、内容器４の内筒１１の上端側は従来とほぼ同様に径方向内方に向かって斜め上向きに傾斜する絞り部１１ｃが設けられているものの、この絞り部１１ｃの内方端がこの内容器４の最上位の位置となるように、外筒１２は、絞り部１１ｃの内方端よりも上方には越えない形状に形成されている。
【００６２】
この結果、ヒンジ受け５ｅを外ケース３の上方延長線上に設けても、その下側にヒンジロック機構５０の配設空間を充分に確保することができる。特に外筒１２の上端側を構成する外筒上部材１４には、肩ケース５の内周壁５ｂに固定される平面部１４ｂの外側を下方に窪ませた窪み部１４ｃを設けた形状である。したがって、この窪み部１４ｃと外ケース３との間も利用して、上記ロック機構５０が配置されている。
【００６３】
したがって、この構造によれば、ヒンジロック機構５０におけるヒンジロック体５１の形状やその上下方向ストローク、また、圧縮コイルバネ５３のバネ長等を従来とほぼ同様としたままで、このヒンジロック機構５０を外ケース３よりも内側に沿わせて設けることが可能となっている。この結果、前後方向の全体的な寸法が小さくなってよりコンパクトになり、また、後面側に外ケース３よりも後方へ大きく出っ張るものがないことから、外観がすっきりしてデザイン性も向上したものになっている。
【００６４】
一方、本体１における前面側の前記注湯部１ｂは、図２（ａ）に示すように、その上面が、液晶表示パネル５４ａを中央に設けた操作表示部５４として形成されている。この液晶パネル５４ａの両側に、前記した電動ポンプ９を作動させて給湯するための給湯キー５４ｂや、この電動ポンプ９による給湯に対する電気的なロック状態を解除するためのロック解除キー５４ｃ、また、保温モード選択キー５４ｄ、再沸騰開始キー５４ｅ、タイマーキー５４ｆ等の各種操作キーが配置されている。
【００６５】
本実施形態の電気ポットでは、この操作表示部５４が従来よりも広い構成になっている。つまり、同図（ｂ）に示されているように、内容器４の上端側と、肩ケース５の内周壁５ｂ下端部との連結が、内容器４の外周面よりも径方向内方で行われる構成になっていることによって、上記内周壁５ｂにおける前面側の形状は、その上端縁の位置も、内容器４の外周面よりも径方向内方に位置させた構成になっている。この結果、同図（ａ）に示すように、内周壁５ｂの上端縁よりも前方に設定される上記操作表示部５４は、同図において破線で示している内容器４の外周縁の後方に越える位置まで広げた形状とすることが可能になっている。これにより、例えば表示面積が大きな液晶表示パネル５４を用いることや、形状の大きなスイッチ等を用いることが可能になり、これによって液晶表示の視認性やスイッチの操作性が向上する。
【００６６】
なお、操作表示部５４を上記のように後方に広げた分、蓋体２は、その前後方向の寸法が短くなっている。この場合に、前記蓋開閉レバー４６は、その後端側が、同図（ｂ）にも示されているように、押し板３６の前縁側に重ねた構造になっている。これにより、蓋開閉レバー４６の前端側を押し下げて後端側を浮き上がらせたときでも、その浮き上がり量が充分に確保され、この後端部下側に後方から指先を掛けて、前記した蓋体２の開操作を行うことが可能になっている。
【００６７】
一方、操作表示部５４の下側、すなわち注湯部１ｂの内部空間も従来よりも広くなっている。この空間領域に、同図（ｂ）に示すように、肩ケース５の上壁面からの垂下形状で囲壁５ｉを設けて、この囲壁５ｉ内が電装部品配設室として形成されている。この電装部品配設室内に、前記液晶表示パネル５４ｂや各種操作キーに対応するスイッチ類が搭載されたスイッチ基板５５が設けられている。さらにこの電装部品配設室に、図示してはいないが、前記操作キーでの操作に応じて沸騰加熱運転や保温加熱運転等を制御するマイコン等が搭載された制御回路基板や、電源回路基板が収納されている。
【００６８】
さらに注湯部１ｂ内には、上記電装部品配設室よりも下側で、かつ内容器４における満水位よりもう上方の領域で、紙面手前側の位置に、同図（ｂ）中二点鎖線で示すように、バルブユニット５６が配置されている。このバルブユニット５６も、前記内容器４における外筒上部材１４の窪み部１４ｃ上の空間を利用し、この注湯部１ｂ内における同図（ｂ）に示した前記給湯立て配管１０ｂ上に設置されている。
【００６９】
このバルブユニット５６は、図６（ａ）に示すように、円錐台形状の第１弁体５７と、球状の第２弁体５８とを収納するバルブケース５９を備えている。このバルブケース５９の下端に上記給湯立て配管１０ｂの上端が接続され、また、紙面奥側における前面側の側壁に、給湯出口接続管１０ｄを介して、前記した給湯口管１０ｃが接続されている。
【００７０】
バルブケース５９内には、同図（ｂ）に示すように、このケース５９内を上下および左右に区画する仕切り壁６０が設けられ、この仕切り壁６０によって、同図において左下側に、本体１が転倒したときに給湯経路を閉じる軽倒止水弁６１が、また、同図において右上側に、本体１が所定の角度よりも前傾したときに給湯経路を閉じる傾斜止水弁６２がそれぞれ形成されている。
【００７１】
転倒止水弁６１は、バルブケース５９の底壁上に立設された支持リブ５９ａ…と、これら支持リブ５９ａ…上に載置された第１弁体５７と、この第１弁体５７上の位置で、仕切り壁６０を上下に貫通する形状で、この仕切り壁６０に一体に設けられた筒体６０ａとによって構成されている。支持リブ５９ａ…は、周方向に間隔を置いて複数設けられ、これら支持リブ５９ａ…の内側は、水平面とのなす角が例えば５０度程度の傾斜状に形成されている。これら傾斜面上に、第１弁体５７が自重によってその下部側のテーパ状外周面を上方から密着させた状態で支持されている。
【００７２】
通常時には、同図において矢印を付記して示すように、給湯立て配管１０ｂから流入する湯が、第１弁体５７の配設空間と筒体６０ａとを順次通して流れ、さらに、この筒体６０ａの上方から、第２弁体５８の配設空間へと至る流路が形成されている。そして、本体１が転倒すると、第１弁体５７が支持リブ５９ａの上記傾斜面に沿ってスライドし、仕切り壁６０側に向かって移動する。これにより、第１弁体５７の上端面が筒体６０ａの下端面に密着する状態になる。この結果、上記流路が筒体６０ａの下端面の位置で閉じられて、転倒時における湯の流出が阻止される。
【００７３】
一方、傾斜止水弁６２は、同図（ｃ）に示すように、球状の第２弁体５８に対し、前方に向かって例えば２０度程度の上り傾斜する配設空間をバルブケース５９と仕切り壁６０とに設けて構成されている。したがって、本体１が２０度を超えて前傾すると、第２弁体５８が仕切り壁６０上を前方に向かって転動する。これによって、この配設室の前端部に形成されている接続管５９ｂの内方端に第２弁体５８が密着し、この結果、このバルブユニット５６からの給湯出口接続管１０ｄへの湯の流出が阻止される。
【００７４】
なお仕切り壁６０には、第２弁体５８の配設室における後端側に、この仕切り壁６０を上下に貫通する貫通穴６０ｂが形成され、この貫通穴６０ｂの下側に、球状のフロートボール６３が配置されている。このような貫通穴６０ｂを設けることにより、給湯操作終了時に、第２弁体５８の配設室とその前方の給湯出口接続管１０ｄとの内部に存する湯が貫通穴６０ｂを通してバルブユニット５６から給湯立て配管１０ｂへと流下していく。これによって、給湯終了後における上記配管領域での湯残りが防止される。また、この貫通穴６０ｂは、本体１の転倒時にはフロートボール６３によって塞がれる。これにより、転倒時に前記第１弁体５７とこのフロートボール６３とによって湯の流出が防止されるようになっている。
【００７５】
このように、転倒時と前傾時との止水機能を備えるバルブユニット５６が、注湯部１ｂ内における前記電装部品配設室と、内容器４における満水位よりもう上方の高さ領域に設けられている。従来の電気ポットにおいては、この領域に確保し得るバルブユニットの配設空間が狭いために、例えば円錐台形状の第１弁体について、その軸心方向を斜めに傾斜させた構造等として設けられている。これに対し、本実施形態の電気ポットでは、前記内容器４上端側の形状および取付構造に伴い、このバルブユニット５６に対する配設空間が広がっているので、第１弁体５７はその軸心が非傾斜状態の構造を採用することが可能になっている。これにより、このような第１弁体５７を内蔵させて構成されるバルブユニット５６自体も、その上下方向の寸法を極力小さくしてコンパクト化することが可能になっている。
【００７６】
一方、本実施形態におけるバルブユニット５６では、第１弁体５７の上方に設けられている筒体６０ａの上端面の位置が、前傾時に流水を阻止する止水角度（例えば２０度）に対応させて設定されている。つまり、内容器４内に前記満水位に達する量の湯が入っており、したがって、前記給湯立て配管１０ｂ内も同様の液面まで湯が満たされている状態のときに、本体１を前傾させていくと、この給湯立て配管１０ｂでの液面が次第に上昇してバルブユニット５６内に進入する。そして、このバルブユニット５６での液面が筒体６０ａの上端面を超えて、湯が第２弁体５８の配設室に流入した時点では、この傾斜に伴う第２弁体５８の移動が完了して、流路出口が塞がれた状態になっているように設定されている。
【００７７】
従来の電気ポットにおいては、上記のような筒体６０ａを設けることなく、上記同様に傾斜させた流路上に球状の弁体を設けただけの構成であり、この場合、止水角度が例えば２０度のときには、本体の前傾角度がこの止水角度に達した時点で、弁体の傾斜流路に沿う移動が完了していること、傾斜流路の傾斜角を２０度よりも小さくして、弁体の移動開始が２０度に達する前に生じる構成にしておくことが必要となっている。そしてこのように傾斜流路の傾斜角をより小さくして構成した従来の電気ポットでは、給湯時に加圧された湯がバルブユニット５６を通して流れるときに、この湯によって弁体が傾斜流路上を湯の出口方向に向かって動き、この結果、安定した給湯を行えなくなるという問題を生じていた。
【００７８】
これに対し、前記筒体６０ａを設けて構成されている本実施形態の電気ポットにおいては、本体１の前傾角度が例えば２５度に達するまで、バルブユニット５６内を上昇する液面が筒体６０ａを超えないようにこの筒体６０ａの上端面の位置を設定しておけば、第２弁体５８が配設されている傾斜流路の角度を２０度以上としても、少なくとも本体１の前傾角度が２５度に達するまでの間に第２弁体５８の閉弁位置までの移動が完了している構成としておけば、上記のような前傾の過程での湯の流出が阻止される。しかも、傾斜流路の傾斜角を小さくする必要がないので、給湯時にこの第２弁体５８が動いて給湯が不安定になることも防止される。
【００７９】
したがって、上記のような筒体６０ａを設けることによって、第２弁体５８の配設流路の傾斜角度をそれほど厳密に設定製作する必要がないので、製作が容易になり、また製作費もより安価に構成することが可能となっている。
【００８０】
図７には、前記ヒンジロック機構５０の周辺構造の変形例を示しており、この場合の肩ケース５には、その内周壁５ｂの下端側から後方に延びて外ケース３の上端部に連結される底面壁５ｊが設けられている。
【００８１】
前記実施形態においては、図５を参照して説明したように、ヒンジロック機構５０に、肩ケース５の外周壁５ａと内周壁５ｂ間に下側から嵌挿され固定されるバネ受け５２を設け、このヒンジロック機構５０を外ケース３の内側に配置して構成されている。この構成においては、肩ケース５におけるヒンジ受け５ｅの内側に形成されている開口、すなわち前記ヒンジロック体５１上端の抜脱阻止部５１ａの出没開口を通して上方から水が侵入すると、この水は、ヒンジロック機構５０の配設空間を通して流下し、さらに、外ケース３と内容器４との間を下方に流下する。その流下方向、すなわち、本体１の後面底部側には、図示してはいないが、通常、電源プラグが接続される端子部等が設けられている。したがって、上記のままでは、このような接続端子部等の腐食が生じるおそれがある。
【００８２】
そこで、図７に示す実施形態の電気ポットでは、肩ケース５に、ヒンジロック機構５０の下側を覆う底面壁５ｊを設けて、この下側への水の流下がこの底面壁５ｊで阻止されるように構成されている。なおこの場合、肩ケース５におけるヒンジ受け５ｅよりも下側の外周壁に開口を形成し、この開口を通してヒンジロック体５１やバネ受け５２・圧縮コイルバネ５３を装着した後、この開口を覆うヒンジカバー６４を、固定ビス６５によって肩ケース５の外周壁に沿って固定して組立てられるようになっている。
【００８３】
図８には、肩ケース５の内周壁５ｂへの内容器４の取付構造の変形例を示しており、この例では、内容器４の上部内方端を覆うように上方から装着されるカバーリング２６によって、さらに金属製のフランジ板２４や締結ネジ２５も上方から覆われるように、このカバーリング２６の断面形状を変えて構成されている。このカバーリング２６は肩ケースと同様に合成樹脂製であり、このようなカバーリング２６を設けることで、金属製のフランジ板２４や締結ネジ２５が露出している場合の違和感が生じることがなく、見栄えが向上する。
【００８４】
一方、図９（ａ）（ｂ）には、蓋体２の変形例を示している。この蓋体２では、蓋開閉レバー４６が、押し下げレバー４６Ａと引上げレバー４６Ｂとの二部材を設けて構成されている。すなわち、前記実施形態における蓋体２では、図２を参照して説明したように、操作表示部５４を後方に広げた分、蓋体２の前後方向の寸法が短くなっている。この場合の蓋開閉レバー４６の後端側を押し板３６の前縁側に重ねた構造とすることにより、蓋開閉レバー４６の前端側を押し下げたときに後端側に所定の量の浮き上がりが生じる。これに対し、図９に示す実施形態での蓋体２では、押し板３６との重なりを生じさせずに、後述するように、押下げレバー４６Ａに対して前記同様の押し下げ操作を行ったときに、引き上げレバー４６Ｂの後端側に前記同様の浮き上がりが生じるようになっている。
【００８５】
上記各レバー４６Ａ・４６Ｂの下側には、図１０に示すように、バネ４８によって、前端面が下ケース３２の前面壁に当接する前進位置（蓋ロック位置）に付勢されたロック体４７が、前記実施形態と同様に配置されている。そしてこの場合のロック体４７は、図１１に示す形状に形成されている。すなわち、左右方向の中央部に、前記バネ４８が後方から挿入されて取付けられるバネ装着凹部４７ｂが設けられ、この凹部４７ｂを挟んで両側に、上面が開口した被押動部４７ｃ・４７ｃが形成されている。これら被押動部４７ｃ・４７ｃ内には、それぞれ前面に向かって下り傾斜する傾斜面４７ｄが設けられている。さらに、これら被押動部４７ｃ・４７ｃの両側に、上下方向に貫通する空間形状のレバー挿入部４７ｅ・４７ｅが形成され、その外側下方に、断面Ｌ字状のロック爪４７ａ・４７ａがそれぞれ形成されている。
【００８６】
前記押下げレバー４６Ａの下面には、図１２（ａ）に示すように、ロック体４７の各被押動部４７ｃに対応する位置に、下方に垂下する第１押動爪４６ｃが設けられている。この第１押動爪４６ｃの下端は、各被押動部４７ｃの傾斜面４７ｄと同様の傾斜状に形成されて、この傾斜面４７ｄに上方から近接して位置するように構成されている。一方、前記引上げレバー４６Ｂの下面には、同図（ｂ）に示すように、ロック体４７の各レバー挿通部４７ｅに対応する位置に、下方に垂下する第２押動爪４６ｄが設けられて、この第２押動爪４６ｄの下端側がレバー挿通部４７ｅ内に位置するように組立てられている。
【００８７】
このような構成により、まず、押下げレバー４６Ａを上方から押す操作が行われると、第１押動爪４６ｃの下降に伴い、その下端面に傾斜面４７ｄが摺接しながらロック体４７の全体が、前記バネ４８のバネ力に抗して後方にスライドする。そして、このようにロック体４７が後方にスライドする過程で、図１３に示すように、ロック体４７におけるレバー挿通部４７ｅを挟んで前面側の壁面が、第２押動爪４６ｄの下端側に後方から当接して、この第２押動爪４６ｄが後方へと押動される。この結果、引上げレバー４６Ｂに、この引上げレバー４６ｂの上ケース３１の支持点４６ａ回りの回動動作が生じ、この引上げレバー４６Ｂの後端側が上方に浮き上がる。
【００８８】
以降は、浮き上がった引上げレバー４６Ｂの後端下側に、前記実施形態と同様に指先を差し込み、この引上げレバー４６Ｂをさらに回動させれば、第２押動爪４６ｄによってロック体４７の全体が後方にさらにスライドされ、この結果、ロック爪４７ａの前端が下ケース３２内へと没入したロック解除位置まで移動する。この状態で、引上げレバー４６Ｂを上方に引き上げることで、蓋体２の全体がその後端側の前記したヒンジピン４４回りに回動して蓋体２が開けられる。
【００８９】
このように、上記構成の蓋体２においては、蓋開閉レバー４６を押下げレバー４６Ａと引上げレバー４６Ｂとの二部材で構成し、この場合の引上げレバー４６Ｂの回動支点（支持点４６ａ）を、押下げレバー４６Ａの側方の位置で、かつ、蓋体２の前端側に極力近い位置に設けて構成されている。すなわち、引上げレバー４６Ｂは、前記図９（ａ）に示されているように、平面視で押下げレバー４６Ａを略コ字状に囲う形状に形成され、押下げレバー４６Ａの左右両側における各前端側に上記支持点４６ａを設けて上ケース３１に組付けられている。
【００９０】
これにより、この引上げレバー４６Ｂは、押し板３６との重なり構造にせずとも、上記各支持点から後端までの長さが充分に確保され、この結果、押下げレバー４６Ａを押し下げたときの引上げレバー４６Ｂ後端側の浮き上がり量も充分に確保されて、開閉操作を容易に行うことが可能になっている。また、押し板３６との重なり構造を採用した前記実施形態の構成では、仮に蓋開閉レバー４６と押し板３６との重なり領域に異物がかみ込んだときに、押し板３６がその上限位置まで復帰せずに途中で止まったままとなるおそれが生じる。これに伴い、前記貯湯空間１ａと蒸気通路４１との連通状態が遮断されたままになって、貯湯空間１ａでの内圧が上昇する不具合が生じるおそれがあるが、本実施形態での蓋体２では、このような不具合が生じることも解消されたものとなっている。
【００９１】
以上にこの発明の具体的な実施形態について説明したが、この発明は上記形態に限定されるものではなく、この発明の範囲内で種々変更することが可能である。例えば上記各形態では、電動ポンプ９とべローズポンプ３７とを備えた、いわゆる電動／手動型の電気ポットを例に挙げたが、電動ポンプ又はべローズポンプのみを設けて給湯するように構成された電気ポットにも本発明を適用することが可能である。
【００９２】
以上説明したように、本発明の電気ポットによれば、上記構成を採ることにより、空間部の有効利用が図れてヒンジロック機構や操作表示部を内方に入れ込み配置でき、機能を損なうこと無く、かつ、見た目の改善を図りながらよりコンパクト化することができた。
【図面の簡単な説明】
【図１】（ａ）は容器本体の上部構造を示す断面図、（ｂ）は容器本体と肩ケースとの連結構造を示す断面図である。
【図２】（ａ）は電気ポットの平面図、（ｂ）は電気ポットの概略構造を示す断面図である。
【図３】（ａ）は内容器の平面図、（ｂ）は固定金具を示す側面図、（ｃ）は内容器の断面側面図、（ｃ）は内容器の底面図である。
【図４】電気ポット上部の構造を示す拡大断面図である。
【図５】ヒンジロック機構の構造を示す拡大断面図である。
【図６】バルブユニットを示し、（ａ）は側面図、（ｂ）は転倒止水弁部分の断面図、（ｃ）は傾斜止水弁の断面図である。
【図７】ヒンジロック機構の別構造を示す拡大断面図である。
【図８】カバーリングの別形状を示す容器本体上部の断面図である。
【図９】ロック機構の別構造を示し、（ａ）は蓋体の平面図、（ｂ）は要部の断面図である。
【図１０】図９に示すロック機構の構造を示す拡大断面図である。
【図１１】ロック体の構造を示す斜視図である。
【図１２】図９に示すロック機構を示し、（ａ）は押下げレバー部分の断面側面図、（ｂ）は引上げレバー部分の断面側面図、（ｃ）は引上げレバーの作用図である。
【図１３】従来の電気ポットを示し、（ａ）は平面図、（ｂ）は上部の一部切欠き側面図、（ｃ）はヒンジロック機構の構造を示す断面図である。
【符号の説明】
１              本体
１ｂ            注湯部
２              蓋体
４              内容器
４ａ            接合部
５ｅ            ヒンジ受け
１０ｃ          給湯口
１１            内筒
１１ｃ          絞り部
１１ｄ          上端縁
１２            外筒
１３ａ          胴部
１４            内向き連結部
１４ｃ          窪み部
１５            真空断熱空間
４４            ヒンジピン
５０            ヒンジロック機構
５４ａ          操作表示部
【図１】
0003921349.tif 000002
【図２】
0003921349.tif 000003
【図３】
0003921349.tif 000004
【図４】
0003921349.tif 000005
【図５】
0003921349.tif 000006
【図６】
0003921349.tif 000007
【図７】
0003921349.tif 000008
【図８】
0003921349.tif 000009
【図９】
0003921349.tif 000010
【図１０】
0003921349.tif 000011
【図１１】
0003921349.tif 000012
【図１２】
0003921349.tif 000013
【図１３】
0003921349.tif 000014